(57)【特許請求の範囲】
【請求項１】
投光するランプと、ランプを内包し、下端面が開放された筒状本体と、筒状本体の下端面を覆う透光カバー体と、透光カバー体を筒状本体に取り付けるための複数の取付体とを備えたダウンライトであって、透光カバー体は複数の取付体を支持する複数の支持部を備え、取付体は透光カバー体の支持部に固定される支持具を各々備えており、透光カバー体の複数の支持部の温度上昇による溶ける度合いが互いに異なっており、異常加熱時に、複数の支持部のうち少なくとも１つ支持部で、透光カバー体が取付体から外れ、少なくとも１つの支持部で、透光カバー体が支持されることにより、筒状本体およびその内部の温度上昇を抑制することを特徴とするダウンライト。
【請求項２】
請求項１記載のダウンライトであって、透光カバー体の支持部は、取付体の支持具の熱を受けるように構成されており、複数の取付体の支持具の少なくとも１つの支持具に塗装が施されている、または複数の取付体の支持具が温度上昇による溶ける度合いの異なる材料で形成されていることを特徴とするダウンライト。
【請求項３】
請求項１記載のダウンライトであって、透光カバー体の複数の支持部の材質、形状、もしくは厚みが互いに異なっていることを特徴とするダウンライト。
【請求項４】
請求項１記載のダウンライトであって、透光カバー体の複数の支持部のうち、少なくとも１つの支持部に他の部材が埋設または固定されていることを特徴とするダウンライト。
【請求項５】
請求項１記載のダウンライトであって、透光カバー体の複数の支持部が孔で構成され、複数の孔の位置もしくは大きさが互いに異なっていることを特徴とするダウンライト。
【発明の詳細な説明】
【技術分野】
【０００１】
本発明は、ダウンライト、特に、浴室用ダウンライトに関する。より詳細には、本発明は、ダウンライト本体の下面に取り付ける透光カバー体において、ダウンライト本体に取り付けるための取付体の支持部を複数形成し、複数の支持部が温度上昇によって溶ける速度を異ならせ、異常加熱時に透光カバー体の少なくとも１つの支持部で支持することにより、ダウンライト本体から透光カバー体が脱落することなく開き、異常な温度上昇を防止することのできる透光カバー体の取付構造に関する。      
【背景技術】
【０００２】
エアコン等の冷暖房効果を上げるために、天井裏に断熱材を敷設することがあるが、そのような場合、天井裏に位置するダウンライトの上部を断熱材でカバーしてしまうおそれがある。
【０００３】
ところで、ダウンライトは、室内側（照明側）の開口に樹脂製の透光カバー体を取り付けて密閉構造にする場合がある。例えば、ダウンライトを、システムバスのように浴室用に使用したり、洗面所用等に使用したりする場合は、ダウンライトの電球、電気的接触部およびスイッチ部等を、室内の湿気から守るために、透光カバー体を取り付ける必要がある。
【０００４】
ダウンライトの天井裏に位置する上部を断熱材でカバーし、しかも照明側の開口に樹脂製の透光カバー体を取り付けて密閉構造にすると、電球から発生する照明熱によって、ダウンライトが異常加熱して火災につながってしまうという問題がある。このようなダウンライトの異常加熱を防ぎ、火災等の事故を防ぐ手段として、ダウンライトの安全構造が必要である。
【０００５】
従来、ダウンライトにおいて、断熱材をカバーして不測の事態が生じても、過熱による発煙を回避するために、温度ヒューズを設け、ヒューズの遮断により通電を遮断するものが知られている（特許文献１参照）。また、ダウンライトにおいて、断熱材で覆われても、器具外殻温度が異常に上昇しないよう外面を断熱材で形成したものが知られている（特許文献２参照）。
【０００６】
そして、ダウンライトにおいて、反射板と器具本体内側壁との空間内に、金属製の熱伝導板を設け、ランプ側の面に塗装を施したものが知られている（特許文献３参照）。さらに、ダウンライトにおいて、本体側壁に複数の放熱孔を設け、放熱孔を閉塞する可溶性薄膜を設けたものが知られている（特許文献４参照）。
【０００７】
【特許文献１】登録実用新案３１１６８３９号公報
【特許文献２】実開昭６０−１３６４１８公報
【特許文献３】実開昭６２−８８３１５号公報
【特許文献４】実開昭６０−７６８１１号公報
【発明の開示】
【発明が解決しようとする課題】
【０００８】
上記のような従来知られているダウンライトの照明熱による異常な加熱や温度上昇を防ぐ手段は、その構成は必ずしも簡単ではない。そこで、本発明者は、浴室天井用のダウンライトの異常加熱を防ぐ手段を鋭意開発した結果、ダウンライトの本体の照明側開口に取り付けられた透光カバー体の温度が異常に上昇すると、この透光カバー体を取り付けている部位が溶けて透光カバー体が外れることで、ダウンライトの温度上昇を抑制するという新規な構成を想到した。
【０００９】
この構成において、ダウンライトが異常加熱して透光カバー体を複数の部位で取り付け、これら複数の部位が溶けて透光カバー体が外れると、透光カバー体が天井から落下し、落下に伴う危害が生じる。
【００１０】
そこで、本発明は、ダウンライトが異常加熱し、透光カバー体を取り付けている部位が溶けて透光カバー体が外れるという構成であり、しかも投光カバーがダウンライト本体から完全に外れて落下するようなことが起こらない構造の投光カバーの取り付け構造を実現することを課題とする。
【課題を解決するための手段】
【００１１】
本発明は上記課題を解決するために、投光するランプと、ランプを内包し、下端面が開放された筒状本体と、筒状本体の下端面を覆う透光カバー体と、透光カバー体を筒状本体に取り付けるための複数の取付体とを備えたダウンライトであって、透光カバー体は複数の取付体を支持する複数の支持部を備え、取付体は透光カバー体の支持部に固定される支持具を各々備えており、透光カバー体の複数の支持部の温度上昇による溶ける度合いが互いに異なっており、異常加熱時に、複数の支持部のうち少なくとも１つ支持部で、透光カバー体が取付体から外れ、少なくとも１つの支持部で、透光カバー体が支持されることにより、筒状本体およびその内部の温度上昇を抑制することを特徴とするダウンライトを提供する。
【００１２】
透光カバー体の支持部は、取付体の支持具の熱を受けるように構成されており、複数の取付体の支持具の少なくとも１つの支持具に塗装が施されている、または複数の取付体の支持具が温度上昇による溶ける度合いの異なる材料で形成されていることが好ましい。
【００１３】
透光カバー体の複数の支持部の材質、形状、もしくは厚みが互いに異なっていることが好ましい。
【００１４】
透光カバー体の複数の支持部のうち、少なくとも１つの支持部に他の部材が埋設または固定されていることが好ましい。
【００１５】
透光カバー体の複数の支持部が孔で構成され、複数の孔の位置もしくは大きさが互いに異なっていることが好ましい。
【発明の効果】
【００１６】
本発明によれば、ダウンライトが異常加熱しても、透光カバー体を取り付けている複数の取付部のうちの少なくとも１箇所の取付部が溶けることで透光カバー体が外れ、放熱が可能となり、それ以上、昇温しないので、異常な温度上昇を防止でき、しかも、透光カバー体がダウンライト本体から完全に外れて落下することがないので、ダウンライトの落下による危害は防止できる。
【発明を実施するための最良の形態】
【００１７】
本発明に係るダウンライトを実施するための最良の形態を実施例に基づき図面を参照して、以下説明する。本発明に係るダウンライトは、ダウンライト本体の下面に取り付ける透光カバー体が異常加熱した際に、透光カバー体をダウンライト本体に取り付けている支持部が溶けて透光カバー体が外れて開く構成である。
【００１８】
そして、本発明に係るダウンライトは、ダウンライト本体に取り付けるための取付体の支持部を複数形成し、複数の支持部が温度上昇によって溶ける速度を異ならせ、異常加熱時に透光カバー体の少なくとも１つの支持部で支持することにより、ダウンライト本体から透光カバー体が脱落することなく開き、異常な温度上昇を防止することのできる透光カバー体の取付構造を特徴とする。
【実施例１】
【００１９】
図１〜図５において、本発明に係るダウンライトの実施例１を説明する。ダウンライト１は、図１、２に示すように、筒状本体２と、筒状本体２の下端面を覆う透光カバー体３と、透光カバー体３を筒状本体２に取り付けるための２つの取付体４とを備えている。筒状本体２には、投光用のランプ５が内包されており、このランプ５は、筒状本体２の上部に設けられた電球ソケット６に取り付けられるように構成されている。
【００２０】
筒状本体２は、その下端面が開放されて下端開口７が形成されている。また、筒状本体２の側壁８における互いに対向する２箇所に、それぞれ取付孔９が形成されている。筒状本体２は、樹脂（例．ポリカーボネート等）、或いは金属（鉄、アルミ等）で形成されている。下端開口７の外周囲にはパッキン１０が装着されている。
【００２１】
透光カバー体３は、図３（ａ）に示すように、筒部１１と、この筒部１１の下端の外周に張り出すフランジ部１２とから成る透光カバー本体１３、および筒部１１の下端開口７に装着され、光散乱面を有する透光板１４とから成る。筒部１１は、図２（ｂ）に示すように、筒状本体２の下端開口７内に嵌合するように構成されている。
【００２２】
透光カバー体３の筒部１１における互いに対向する２箇所に、第１の支持部１５および第２の支持部１６が形成されている。これらの第１の支持部１５および第２の支持部１６とは、それぞれ筒部１１に矩形の第１の支持孔１８および第２の支持孔１９が形成された構成である（図３（ａ）参照）。
【００２３】
透光カバー本体１３は、本実施例１では樹脂（例．ポリカーボネート等）で形成され、透光板１４は、樹脂（例．アクリル等）又はガラスで形成されている。透光板１４は透明でもよいが、その表面に光散乱面を形成されているものでもよい。図３（ｂ）に示すように、透光カバー体３の筒部１１の支持部１５、１６に、取付体４が取り付けられている。
【００２４】
取付体４は、図４（ａ）〜（ｄ）に示すように、捩りばね２０と、捩りばね２０に取り付けられた支持具２１とを備えている。捩りばね２０は、リング状の捩り部２２と、この捩り部２２によってＶ字状に拡開するように付勢された一対のアーム部２３とから構成され、支持具２１は捩り部２２に嵌めるようにして取り付けられる。
【００２５】
支持具２１は、この実施例では金属板が内側部２４と外側部２５に折り返されて形成されている。内側部２４の下端には外側に向けて屈曲した係合部２６が形成されており、外側部２５には係合部２６に対応して係合孔２７が形成されているとともに、内側にクランク状の折曲げ片２８が形成されている（図４（ｄ）参照）。
【００２６】
支持具２１は、透光カバー体３の筒部１１をその上縁側から弾力的に挟持するように筒部１１に装着される。そして、係合部２６は筒部１１の第１の支持孔１８（又は第２の支持孔１９）および係合孔２７に係入し、さらに折曲げ片２８も係合孔２７から筒部１１の内側に係入するように構成されている。これによって、取付体４は、図４（ａ）〜（ｄ）に示すように、投光カバー体３に取り付けられている。          
【００２７】
透光カバー体３を、ダウンライト１の筒状本体２に装着する時は、透光カバー体３の２箇所にそれぞれ取り付けられた支持具２１の一対のアーム部２３を、その上端から取付孔９に挿入する（図２（ａ）参照）。
【００２８】
そして、支持具２１を取り付けた透光カバー体３を、その筒部１１を筒状本体２の下端開口７内に嵌合していく。すると、一対のアーム部２３が、その弾力で取付孔９内で上昇しながら拡開し、その弾力により、透光カバー体３が筒状本体２の下部開口７内に完全に嵌合した状態で保持される（図１（ｃ）、図２（ｂ）参照）。
【００２９】
透光カバー体３の筒部１１の第１の支持部１５および第２の支持部１６に取り付けられた２つの支持具２１は、例えば、金属片（鉄片等）で形成され、通常は黒色以外の色である。しかし、本発明では、２つの支持具２１のうち、一つの支持具２１は、黒色に着色する。この着色は、例えば、塗装やスプレーで塗料を塗布して黒色とする。
【００３０】
（作用）
以上の構成から成る本発明に係るダウンライト１の作用を説明する。ダウンライト１の上部を断熱材でカバーしたような場合は、ダウンライト１は、ランプ５（電球）の熱が放散しにくいために、筒状本体２の内部に熱がこもってしまいダウンライト１の温度は上昇する。
【００３１】
ダウンライト１の温度が上昇し、透光カバー体３の温度が上昇した場合、透光カバー体３の筒部１１の２箇所に取り付けた２つの支持具２１のうち、第１の支持部１５に取り付けた支持具２１を黒色とした場合は、第２の支持部１６に取り付けた黒色ではない支持具２１に較べて、熱を吸収し易く、温度上昇度が速い。
【００３２】
その結果、第１の支持部１５に取り付けた黒色の支持具２１は、第２の支持部１６に取り付けた支持具２１に較べて高温となるので、その熱を受けて、第１の支持部１５は、図５（ａ）に示すように、第２の支持部１６より速く溶けてしまい、第１の支持部１５の第１の支持孔１８は、第２の支持部１６の支持孔１９より速く破断してしまう。
【００３３】
第１の支持部１５のみが溶けて第１の支持孔１８が破断すると、第１の支持部１５の黒色の支持具２１が第１の支持部１５から外れ、第２の支持部１６に取り付けた支持具２１は外れない。これにより、透光カバー体３は、図５（ｂ）に示すように、筒状本体２から、第１の支持部１５側だけ外れて開き、落下するようなことはない。
【００３４】
このため、ダウンライト１の落下事故を防止でき、しかも、ダウンライト１の筒状本体２内にこもっていた熱は、透光カバー体３が片側に開いた部分から放散するので、ダウンライト１の筒状本体２およびその内部の温度は、抑制されて、それ以上は上昇しない。その後、使用者は、必要に応じて、新しい透光カバー体３或いはダウンライト１全体を付け替えればよい。
【００３５】
（変形例）
上記実施例１では、第１の支持部１５に取り付けられた支持具２１を黒色に塗装したが、逆に、第１の支持部１５に取り付けられた支持具２１は特に着色することなく、第２の支持部１６に取り付けられた支持具２１を白色に塗装して吸熱しにくくすると、白色の支持具２１の温度上昇は、第１の支持部１５に取り付けられた支持具に較べて遅くなる。
【００３６】
その結果、第１の支持部１５がより速く溶けて第１の支持孔１８は破断し、上記実施例１の場合（図５（ｂ）参照）と同様に、透光カバー体３は、筒状本体２から第１の支持部１５側だけ外れて開き、落下するようなことはない。
【００３７】
また、第２の支持部１６に取り付けた支持具２１を白色に塗装して吸熱しにくくするともに、第１の支持部１５に取り付けた支持具２１を黒色に塗装して吸熱しやすくすれば、第１の支持具２１と第２の支持具２１の吸熱乃至溶けやすさの度合いは、より大きな差が生じる。
【００３８】
そのため、ダウンライト１の異常加熱の際に、第１の支持部１５が溶けその支持孔２１が破断する速度が相対的に速くなるので、第１の支持部１５のみ筒状本体２から、確実に外れることとなる。
【００３９】
なお、第１の支持部１５に取り付けた第１の支持具２１および第２の支持部１６に取り付けた第２の支持具２１を樹脂で成形し、いずれにも着色はしないが、第１の支持具を第２の支持具より、より速く溶けやすい樹脂材料で形成することで、第１の支持具と、第１の支持部１５（又は捩りばね２０）との取付構造を、第２の支持具に較べてより速く破断するような構成としてもよい。
【実施例２】
【００４０】
次に本発明に係るダウンライトの実施例２について図６によって以下説明する。実施例２は、実施例１とほぼ同じ構成（同じ構成部分は同じ符号を引用する。）であり、特に、筒状本体２は全く同じ構成であるが、透光カバー体３０は実施例１と次のとおり異なる特徴的な構成を備えている。
【００４１】
即ち、実施例１は、二つの支持具２１、２１の色を互いに変えて、両者の昇温速度に差をつけて第１の支持部１５が先に溶けて第１の支持孔１８が破断することで、透光カバー体３を第１の支持部１５側のみ開く構成とした。
【００４２】
しかし、この実施例２では、二つの支持具２１、２１の構成（材質、色、形状等）は互いに同じであるが、透光カバー体３０の筒部１１に形成された第１の支持部３１と第２の支持部３２について、筒部１１において、第１の支持孔１８が形成される部分３３と第２の支持孔１９が形成される部分３３’の材質を互いに異なるように形成した。
【００４３】
このような構成とすることで、ダウンライト１が異常に加熱されて第１の支持部３１と第２の支持部３２の温度が上昇した際、第１の支持孔１８が第２の支持孔１９より速く溶けて先に破断するような構成とした。
【００４４】
具体的には、この実施例２の透光カバー体３０は、その筒部１１の対向する二箇所には、図６（ａ）に示すように、第１の支持部３１と第２の支持部３２が形成されている。そして、透光カバー体３０は、全体的には樹脂（例．ポリカーボネート等）で成形されているが、例えば、第１の支持部３１を構成する筒部１１の部分３３のみは、透光カバー体１０の他の部分に較べて熱で溶けやすい材料又は同じ材料でも溶けやすい配合の材料で形成されている。
【００４５】
このような構成は、具体的には、異なる樹脂材料を組み合わせて一体成形するダブルモールド(二色成形)によって成形可能である。実施例２によれば、第１の支持部３１は、第２の支持部３２に較べてより速く溶け、第１の支持孔１８は速く破断し、第１の支持部３１に装着した支持具は脱落して、透光カバー体３０は、実施例１と同様に第１の支持部３１側のみ外れる。
【００４６】
（変形例）
図６（ｂ）は、実施例２の変形例を説明する図である。この変形例では、透光カバー体３４の筒部１１の第１の支持部３５における筒部１１の内面に切り欠き３７を形成し、この切り欠き３７内に、第１の支持孔１８に一致する孔３８を形成した金属片３９（例．鉄片、鋼片等）を埋設して接着剤で接着する構成とした。なお、金属片３９を第１の支持部３５に埋設するのではなく、単に金属片３９のような他の部材を固定する構成としてもよい。
【００４７】
これにより、第１の支持部３５を溶けにくくして、筒部１１の第２の支持部３６の第２の支持孔１９が第１の支持部３５より速く溶けて、第２の支持孔１９のみは破断して、実施例１とは逆に、図示はしないが、第２の支持部３６側のみ透光カバー体３４が開く構成とした。
【実施例３】
【００４８】
次に本発明に係るダウンライトの実施例３について、図７によって以下説明する。実施例３は、実施例１、２とほぼ同じ構成（同じ構成については同じ符号を使用する。）であるが、その特徴的な構成は次のとおりである。
【００４９】
即ち、実施例３では、二つの支持具２１、２１の構成（材質、色、形状等）は互いに同じであるが、実施例２と同様に、実施例３の透光カバー体４０の第１の支持部４１を第２の支持部４２より速く溶けるようにして、第１の支持部４１の支持孔１８のみが破断するように形成した。
【００５０】
しかし、この実施例３では、実施例２のように２箇所に形成された第１の支持部および第２の支持部について、互いに異なる材質を使用するのではなく、図７（ａ）に示すように、第１の支持部４１および第２の支持部４２における筒部１１の厚みを互いに異なるようにすることで、第１の支持部４１が先に溶けて、第１の支持部４１の支持孔１８が先に破断するように形成した。
【００５１】
具体的には、筒部１１の第１の支持部４１における部分の厚みを、筒部１１の第２の支持部４２を含むそれ以外の部分の厚みより、図７（ａ）に示すように薄くすることで、より溶けやすい構成とした。これにより、ダウンライト１の異常加熱の際に、第１の支持部４１の支持孔１８は第２の支持部４２の支持孔１９に較べてより速く破断して、第１の支持部４１の側のみ透光カバー体４０は筒状本体２から開く構成とした。
【００５２】
図７（ｂ）は、 逆に、筒部１１の第２の支持部４２における部分の厚みを、筒部１１の第１の支持部４１を含むそれ以外の部分の厚みより、厚くすることで、第１の支持部４１に較べて、遅く溶ける。この結果、相対的に、第１の支持部４１の支持孔１８は、第２の支持部４２の支持孔１９に較べて、より速く破断して、第１の支持部４１側のみ透光カバー体４０は筒状本体２から開く構成とした。
【００５３】
（変形例）
図７（ｃ）〜（ｇ）は、実施例３の変形例を説明する図である。 第１の支持部４１における支持孔１８の形成されている部分の筒部１１の上縁に切り欠き４３を形成することで（図７（ｄ）参照）、第２の支持部４２（図７（ｅ）参照）に較べて、第１の支持部４１に形成した支持孔１８と上縁の間の寸法を小さくして薄肉とした。
【００５４】
逆に、第２の支持部４２に突出縁部４４を設けて厚肉としてもよい（図７（ｇ）参照）。このような構成とすれば、第１の支持部４１の支持孔１８（図７（ｆ）参照）は、第２の支持部４２の支持孔１９より速く溶けて破断するので、この変形例の透光カバー体４５は第１の支持部４１側のみ筒状本体２から開くことができる。
【００５５】
さらに、図示はしないが、実施例３の別の変形例として、第１の支持部４１の支持孔１８を第２の支持部４２の支持孔１９より筒部１１の上縁に近づけて形成することで、第１の支持部４０の支持孔１８を第２の支持部４２の支持孔１９より速く溶けて破断するような構成としてもよい。
【００５６】
この場合、第１の支持部４０の支持孔１８は、２の支持部４２の支持孔１９より上方に位置し、高さが若干異なるが、捩りばね２０の一対のアーム部２３が取付孔９への挿入および係合度合によって、この高さの差異は吸収され、特に問題は生じない。あるいは、支持孔１８と支持孔１９の大きさを変えることで、筒部１１の上縁からの距離を異ならせ、第１の支持部４０と第２の支持部４２の溶ける度合いを異ならせてもよい。
【００５７】
以上、本発明に係るダウンライトを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５８】
本発明に係るダウンライトは、上記のような構成であり、浴室天井部に設置するダウンライトだけでなく、同様に湿気が多く透光カバー体を装着するに適した洗面室、その他の室のダウンライト、特に断熱材でカバーされかつ透光カバー体を装着して使用する場合に好適である。
【図面の簡単な説明】
【００５９】
【図１】本発明に係るダウンライトの実施例１の斜視図であり、（ａ）は全体構成を示し、（ｂ）、（ｃ）は要部を示す。
【図２】本発明に係るダウンライトの実施例１の内部の構成を示し、（ａ）は透光カバー体を開いた状態を示し、（ｂ）は透光カバー体を閉じた状態を示す。
【図３】（ａ）は本発明に係るダウンライトの実施例１の透光カバー体の構成を示し、（ｂ）は取付体を透光カバー体に取り付けた状態を示す。
【図４】本発明に係るダウンライトの取付体を透光カバー体に取り付けた状態を示し、（ａ）は正面図、（ｂ）は（ａ）のＡ−Ａ断面図であり、（ｃ）は（ａ）の要部を示す図であり、（ｄ）は（ｃ）のＢ−Ｂ断面図である。
【図５】本発明に係るダウンライトの作用を説明する図である。
【図６】本発明に係るダウンライトの実施例２を説明する図であり、（ａ）は透光カバー体の平面図であり、（ｂ）〜（ｄ）は実施例２の変形例を説明する図で、（ｂ）は平面図、（ｃ）は（ａ）の要部Ａ拡大図、（ｄ）はＢ−Ｂ断面図である。
【図７】本発明に係るダウンライトの実施例３を説明する図であり、（ａ）、（ｂ）は透光カバー体の平面図であり、（ｃ）〜（ｇ）は実施例３の変形例を説明する図であり、（ｃ）は透光カバー体の平面図であり、（ｄ）〜（ｇ）は透光カバー体の筒部をＡ方向およびＢ方向に視認した図である。
【符号の説明】
【００６０】
１  ダウンライト              
２  筒状本体                 
３、３０、３４、４０、４５  透光カバー体             
４  取付体                   
５  投光用のランプ           
６  電球ソケット             
７  下端開口                 
８  筒状本体の側壁           
９  取付孔                   
１０  パッキン               
１１  透光カバー体の筒部     
１２  フランジ部             
１３  透光カバー本体  
１４  透光板                 
１５、３１、３５、４１  第１の支持部           
１６、３２、３６、４２  第２の支持部           
１８  第１の支持孔           
１９  第２の支持孔           
２０  捩りばね               
２１  支持具                 
２２  捩りばねのリング状の捩り部       
２３  捩りばねの一対のアーム部         
２４  支持具の内側部         
２５  支持具の外側部                 
２６  支持具の係合部                 
２７  支持具の係合孔                 
２８  支持具の折曲げ片               
３７、４３  切り欠き         
３８  孔               
３９  金属片           
４４  突出縁部
【図１】
0004858330.tif 000002
【図２】
0004858330.tif 000003
【図３】
0004858330.tif 000004
【図４】
0004858330.tif 000005
【図５】
0004858330.tif 000006
【図６】
0004858330.tif 000007
【図７】
0004858330.tif 000008